(57)【要約】【課題】    取引履歴を確認しながら、通帳を排出することなく、複数の取引を実行する。【解決手段】  ＡＴＭ１００は、通帳を利用して複数の取引が行われる際に、一度挿入された通帳を、全ての取引が終了するまで排出しないよう制御する。ＡＴＭ１００の操作部３００は、案内表示部３１０と、取引履歴表示部３２０と、取引操作部３４０とから構成されている。取引履歴表示部３２０は、取引履歴３３０から構成されており、通帳１０の保有者の取引履歴であって、通帳１０に印字されていない取引履歴が表示される。ＡＴＭ１００は、取引選択ボタン３４２〜３４６が押下されたことを検出すると、それぞれに対応した取引処理を実行するとともに、取引に関する情報を、取引内容表示部３４１に表示する。こうすれば、通帳を排出することなく、通帳に未印字の取引履歴を確認しながら複数の取引処理を行うことができる。【選択図】  図１
2005352743.tif 000002
【特許請求の範囲】
【請求項１】
取引処理を実行する自動取引装置であって、
前記取引処理を入力するための操作部と、
前記入力に基づき、複数の前記取引処理を連続して実行可能な取引処理部と、
前記複数の取引処理が全て終了しているか否かを判断する判断部と、
通帳の挿入、排出、取引履歴の印字処理、および、前記判断に基づき、前記複数の取引処理が全て終了したと判断されるまで、前記通帳の排出を行わない通帳取扱部とを備える自動取引装置。
【請求項２】
請求項１記載の自動取引装置であって、
前記通帳取扱部は、前記複数の取引処理の各取引履歴について、前記複数の取引処理の継続中に、前記通帳を排出することなく、前記印字処理を行う自動取引装置。
【請求項３】
請求項２記載の自動取引装置であって、
前記印字処理を中止させる指示を行うための中止指示操作部とを備え、
前記通帳取扱部は、前記指示に基づき、前記印字処理を中止し、前記通帳を排出する自動取引装置。
【請求項４】
請求項１ないし請求項３のいずれか記載の自動取引装置であって、
更に、
取引処理に関する情報を表示する表示部と、
前記表示部に、前記取引履歴および前記取引処理に関する情報を表示する表示制御部とを備える自動取引装置。
【請求項５】
請求項４記載の自動取引装置であって、
更に、
前記印字処理の進捗状態を表す識別子を、１取引履歴ごとに関連づけて付与する識別子付与部を備え、
前記表示制御部は、前記識別子に基づき、前記１取引履歴ごとの表示態様を変更して前記表示部に表示する自動取引装置。
【請求項６】
請求項４記載の自動取引装置であって、
更に、
前記表示制御部は、前記取引履歴を、前記通帳の印字対象頁に対応して、頁単位で前記表示部に表示する自動取引装置。
【請求項７】
請求項４記載の自動取引装置であって、
前記表示制御部は、前記複数の取引処理の取引履歴を、前記取引履歴に追加して前記表示部に表示する自動取引装置。
【請求項８】
自動取引装置が、取引処理を実行する取引処理方法であって、
（ａ）通帳の挿入、排出、および、取引履歴の印字処理を行う工程と、
（ｂ）前記取引処理の実行指示を受け付ける工程と、
（ｃ）前記実行指示に基づき、複数の前記取引処理を連続して実行可能な工程と、
（ｄ）前記複数の取引処理が全て終了しているか否かを判断する工程と、
（ｅ）前記判断に基づき、前記複数の取引処理が全て終了したと判断されるまで、前記通帳の排出を行わないよう制御する工程とを備える取引処理方法。
【請求項９】
コンピュータに、取引処理を実行させるためのコンピュータプログラムであって、
通帳の挿入、排出、および、取引履歴の印字処理を行う機能と、
前記取引処理の実行指示を入力する機能と、
前記入力に基づき、複数の前記取引処理を連続して実行可能な機能と、
前記複数の取引処理が全て終了しているか否かを判断する機能と、
前記判断に基づき、前記複数の取引処理が全て終了したと判断されるまで、前記通帳の排出を行わないよう制御する機能とをコンピュータに実行させるためのコンピュータプログラム。
【請求項１０】
請求項９記載のコンピュータプログラムをコンピュータ読み取り可能に記録した記録媒体。
【発明の詳細な説明】
【技術分野】
【０００１】
本発明は、通帳、現金を用いて取引を行う自動取引装置に関するものである。
【背景技術】
【０００２】
従来、金融機関等で顧客に対する取引に自動取引装置が使用されている。取引処理には、例えば、通帳記入取引処理、出金取引処理、入金取引処理等が挙げられる。通帳記入取引処理とは、通帳に未印字の取引履歴を印字する取引処理である。出金取引処理とは、顧客が自己の口座に入金されている現金を所望する金額だけ引き出す取引処理である。入金取引処理は、自己の口座に現金を入金する取引処理である。
【０００３】
近年、ユーザが取引処理を行う場合に、通帳に未印字の取引履歴をディスプレイに表示することにより、通帳記入取引処理が終了する前に、ユーザに取引履歴を通知することができる技術が開示されている。また、ユーザが取引処理を行う場合に、通帳に未印字の取引履歴を、必要に応じて明細表に出力したり、通帳への印字を行わせたりする技術も開示されている。
【０００４】
【特許文献１】特開昭６２−２３５９号公報
【特許文献２】特開平３−２５５６６号公報
【特許文献３】特開平８−８７６４１号公報
【特許文献４】特開平７−２１２９２号公報
【特許文献５】特開平９−２８２５２４号公報
【特許文献６】特開平１０−１７７６７２号公報
【発明の開示】
【発明が解決しようとする課題】
【０００５】
しかしながら、従来の技術では、自動取引装置は、顧客が通帳を使用して取引を行う場合には、１取引を終えるごとに、逐一、通帳を排出することとしている。そのため、顧客は通帳を用いて所望する取引処理を行う場合には、取引処理の都度、通帳を挿入しなければならず煩雑で時間がかかるという問題点があった。また、自動取引装置での取引を所望する顧客が数多く存在し、順番待ちにより混雑している場合には、複数の取引を行うことにより、並んでいる他の顧客に不快感を与えるという問題点もあった。
【０００６】
本発明はこのような課題に鑑みてなされたものであり、複数の取引処理を、通帳を排出することなく円滑に実行することを目的とする。
【課題を解決するための手段】
【０００７】
上述した課題の少なくとも一部を解決するために、本発明では、以下のような構成をとることとした。すなわち、取引処理を実行する自動取引装置において、取引処理を入力するための操作部と、かかる入力に基づき、複数の取引処理を連続して実行可能な取引処理部と、複数の取引処理が全て終了しているか否かを判断する判断部と、通帳の挿入、排出、および、取引履歴の印字処理判断に基づき、複数の取引処理が全て終了したと判断されるまで、通帳の排出を行わない通帳取扱部とを備えることを要旨とする。
【０００８】
こうすれば、通帳を用いて複数の処理を実行する場合にも、自動取引装置は、逐一、通帳を排出することなく、全ての取引処理を円滑に行うことができる。従って、利用者の利便性の向上を図ると共に、取引処理時間を短縮することができる、
【０００９】
本発明の自動取引装置において、通帳取扱部は、複数の取引処理の取引履歴について、取引処理継続中に、通帳を排出することなく印字処理を行うこととしてもよい。こうすれば、連続して取引処理を行った場合にも、通帳を排出することなく、かかる取引処理の取引履歴を印字することができ利便性が向上する。
【００１０】
本発明の自動取引装置において、印字処理を中止させる指示を行うための中止指示操作部とを備え、通帳取扱部は、かかる指示に基づき、印字処理を中止し通帳を排出することとしてもよい。こうすれば、取引履歴の印字処理を途中で中止することができ、複数の取引処理の終了後に、利用者の任意のタイミングで一連の取引処理を終了することができる。
【００１１】
本発明の自動取引装置において、更に、取引履歴および取引処理に関する情報を表示部に表示する表示制御部を備えることとしてもよい。こうすれば、印字処理中においても、取引履歴を確認しながら別の取引履歴を連続して実行することができ、利便性の向上を図ることができる。
【００１２】
本発明の自動取引装置において、更に、印字処理の進捗状態を表す識別子を、１取引履歴ごとに関連づけて付与する識別子付与部を備え、表示制御部は、識別子に基づき、１取引履歴ごとの表示態様を変更して表示部に表示することとしてもよい。こうすれば、利用者は、印字処理の進捗状況を容易に把握することができる。
【００１３】
本発明の自動取引装置において、表示制御部は、取引履歴を、通帳の印字対象頁に対応して、頁単位で表示部に表示することとしてもよい。こうすれば、利用者は、通帳に印字されるべき取引履歴の情報を、直感的に確認することができる。
【００１４】
本発明の自動取引装置において、表示制御部は、前記複数の取引処理の取引履歴を、取引履歴に追加して表示することとしてもよい。こうすれば、一連の複数の取引処理の取引履歴を、表示部で確認することができ利便性が向上する。
【００１５】
本発明において、上述した種々の態様は、適宜、組み合わせたり、一部を省略したりして適用することができる。また、本発明は、上述した自動取引装置としての構成の他に、自動取引装置による取引方法、自動取引装置に取引処理を実行させるためのコンピュータプログラム、かかるコンピュータプログラムをコンピュータ読み取り可能に記録した記録媒体等としても構成できる。いずれの構成においても、上述した各態様を適宜適用可能である。コンピュータが読み取り可能な記録媒体としては、例えば、フレキシブルディスクや、ＣＤ−ＲＯＭ、ＤＶＤ−ＲＯＭ、光磁気ディスク、ＩＣカード、ハードディスク等種々の媒体を利用することが可能である。
【発明を実施するための最良の形態】
【００１６】
以下、本発明の実施の形態について、実施例に基づき、次の順序で説明する。
Ａ．第１実施例：
Ａ１．概略構成：
Ａ２．機能ブロック：
Ａ３．連続取引処理：
Ａ３−１．印字処理：
Ａ３−２．取引処理：
Ａ３−３．取引終了処理：
Ｂ．第２実施例：
Ｂ１．通帳のページ構成：
Ｂ２．印字頁関連付け処理：
Ｂ３．操作パネル：
Ｃ．変形例：
【００１７】
Ａ．第１実施例：
Ａ１．概略構成：
図１は実施例としての自動取引装置の概略構成を示す説明図である。自動取引装置は、銀行などの金融機関に設置され、利用者の操作に応じて、通帳への取引履歴の記帳や、入出金取引処理を無人で行うための装置である。本実施例では、利用者により、通帳を利用して複数の取引が行われる際に、一度挿入された通帳を、全ての取引が終了するまで排出しないよう制御する自動取引装置について説明する。本実施例の自動取引装置は、通帳が挿入されたことを検出すると、利用者からの通帳への取引履歴の印字処理の指示の有無に関わらず、未印字の取引履歴の印字を行うものとする。利用者の指示をトリガとして行うこととしてもよい。
【００１８】
実施例の自動取引装置（以下、ＡＴＭという）１００は、通帳取扱機構１０５と、カード取扱機構１０６と、明細表取扱機構１０７と、現金入出金口１０８と現金取扱機構１１０と、制御ユニット１２０と、操作部３００とを図示する配置で備えている。通帳取扱機構１０５は、通帳の挿入、排出、および、取引履歴を通帳に印字する機能を備える。通帳取扱機構１０５には、図中矢印Ａで示すように、通帳１０が挿入される。
【００１９】
操作部３００は、入出金処理などの取引処理のための情報表示および入出金のための操作入力を行うためのインタフェースである。本実施例では、タッチパネルを用いるものとしたが、ディスプレイと押しボタンスイッチなどの組み合わせで構成してもよい。
【００２０】
利用者との現金の授受は、現金入出金口１０８を通じて行われる。入金時には、利用者が現金入出金口１０８に入れた現金は、内蔵された現金取扱機構１１０によって、鑑別され、金種ごとに分類されて保管される。出金時には、現金取扱機構１１０は、利用者の指示した金額分の現金を繰り出し、現金入出金口１０８に搬送する。本実施例では、現金取扱機構１１０は、紙幣と硬貨の双方を取り扱う。紙幣と硬貨を取り扱う機構として、別々に構成することとしてもよい。
【００２１】
ＡＴＭ１００は、また、カードを取扱うカード取扱機構１０６、明細票を取り扱う明細表取扱機構１０７などを備えている。他のユニット、例えば、音声案内を行うユニットなどを設けても良い。
【００２２】
以上で説明したＡＴＭ１００の各ユニットの動作は、制御ユニット１２０によって制御される。制御ユニット１２０は、内部にＣＰＵ、メモリを備えたマイクロコンピュータとして構成されている。制御ユニット１２０は、図中に矢印で示す通り、各ユニットと情報の授受を行い、ＡＴＭ１００全体の動作を制御する。ＡＴＭ１００は、金融機関のホストコンピュータ２００と通信回線を介して接続されている。制御ユニット１２０は、適宜、ホストコンピュータ２００と通信を行いつつ、取引処理を実行する。ホストコンピュータ２００は、利用者の全ての取引履歴を管理する機能や、利用者の認証を行う機能等を備える。
【００２３】
図に併せて、操作部３００の表示例を示した。操作部３００は、案内表示部３１０と、取引履歴表示部３２０と、取引操作部３４０とから構成されている。案内表示部３１０には、表示内容の説明や操作の案内が、適宜、表示される。
【００２４】
取引履歴表示部３２０は、取引履歴３３０を表示する領域であり、通帳１０の利用者の取引履歴であって、通帳１０に印字されていない取引履歴が表示される。取引履歴３３０は、「日付」と、「適用」と、「お支払」と、「預入れ」と、「残高」という５項目から構成されている。「日付」は、取引を行った日付を表しており、「適用」は、取引が適用された内容を表している。「お支払」は、取引処理において、口座から出金された金額を表しており、「預入れ」は、口座へ入金された金額を表している。「残高」は、取引処理後の口座の残金の金額を表している。取引履歴３３０の最左に表示した「１」、「２」...の数字は、説明の便宜上、各取引履歴に、順に付した固有の取引履歴番号である。例えば、取引履歴番号が「２」である取引履歴は、「０３−０２−０４」、すなわち、「２００３年２月４日」に「カード」によって「５０，０００円」出金取引によって支払われており、残高は「２００，０００円」であることを示している。
【００２５】
取引操作部３４０は、取引内容表示部３４１と、取引選択ボタン３４２〜３４５と、取引終了ボタン３４６とから構成されている。ＡＴＭ１００は、取引選択ボタン３４２〜３４５が押下されたことを検出すると、それぞれに対応した取引処理を実行するとともに、取引に関する情報を、取引内容表示部３４１に表示する。例えば、ＡＴＭ１００は、取引選択ボタン３４４が押下されると、出金処理を開始するとともに、出金処理に関する情報、案内を取引内容表示部３４１に表示する。
【００２６】
Ａ２．機能ブロック：
図２は、本実施例における制御ユニット１２０の機能ブロックを例示する説明図である。本実施例では、各機能ブロックは、制御ユニット１２０内にソフトウェア的に構成され、主制御部１２１によって制御される。各機能ブロックはハードウェア的に構成しても構わない。
【００２７】
カード・明細表取扱機構制御部１２３は、カード取扱機構１０６、明細表取扱機構１０７を制御する。具体的には、カードの挿入、排出、情報の読み取りや、明細票の出力などである。
【００２８】
入力受付部１２９から入力された取引指示等の情報は、主制御部１２１を介して取引処理部１２５に受け渡される。取引処理部１２５は、これらの情報を使用して、ホストコンピュータ２００と情報の授受を行いつつ取引処理を行う。また、現金の授受を伴う取引の場合には、取引処理部１２５は、現金取扱機構１１０を制御して取引を行う。
【００２９】
通帳取扱機構制御部１２４は、通帳取扱機構１０５を制御する機能を奏する。具体的には、通帳が挿入されたことを検出して、通帳を通帳取扱機構１０５内の所定の位置に搬送する、取引履歴を印字する、通帳のページをめくる、通帳を排出する機能を奏する。
【００３０】
表示制御部１２８は、操作部３００に表示する情報を制御しており、利用者が操作するためのメニューその他の画面表示、およびその操作結果の入力、取引履歴の表示を行う。
【００３１】
取引履歴管理部１３０は、通帳取扱機構制御部１２４から、通帳が挿入された通知を受け取ると、通帳１０に登録された利用者情報に基づいて、通信部１２２を介してホストコンピュータと通信を行い、通帳１０の利用者の取引履歴であって、通帳に印字されていない取引履歴を取得する。取引履歴管理部１３０は、取得した各取引履歴について、印字すべき取引履歴を通帳取扱機構制御部１２４へ転送したか否かを表す転送フラグと、印字の進捗状況を示す印字フラグを付与し、取引履歴格納部１３１に記憶する。取引履歴管理部１３０は、転送の実行や印字処理の進行状況に伴い、フラグを更新する機能を備える。また、取引履歴管理部１３０は、全ての取引処理の終了後に、取引履歴の印字処理の進行状況を、ホストコンピュータ２００に送信する機能も奏する。
【００３２】
取引履歴格納部１３１は、スタック構造となっており、取引の日付が前である取引履歴が、上位に格納される。取引履歴格納部１３１の構成の詳細は後述する。
【００３３】
Ａ３．連続取引処理：
図３は、本実施例における連続取引処理を説明するフローチャートである。連続取引処理とは、一度挿入された通帳を排出することなく、複数の取引処理を一連の取引処理として実行することを示す。本処理は、通帳が挿入されることにより開始される処理であり、主制御部１２１が、各機能ブロックを制御して行う処理である。
【００３４】
ＡＴＭ１００は、通帳に登録されている利用者の情報に基づき、ホストコンピュータ２００から、通帳に印字されていない取引履歴を取得する（ステップＳ１０）。次に、ＡＴＭ１００は、取得した取引履歴の１取引履歴ごとに、転送フラグおよび印字フラグを付与し、取引履歴格納部１３１に格納する（ステップＳ１１）。図４に、取引履歴格納部１３１の内容を例示した。
【００３５】
図４は、本実施例における取引履歴格納部１３１を例示する説明図である。図３のステップＳ１１における処理後の取引履歴格納部１３１の内容を表している。
【００３６】
取引履歴格納部１３１は、「履歴番号」と、「日付」と、「適用」と、「お支払」と、「預入れ」と、「残高」と、「印字フラグ」と、「転送フラグ」との８項目から構成されている。また、取引履歴格納部１３１は、日付が早い取引履歴を、先頭から順に格納するスタック構造により構成されている。
【００３７】
「履歴番号」は、取得した取引履歴を管理するための個別に割り振られた番号である。「印字フラグ」と「転送フラグ」は、取引履歴格納部１３１に格納される際に、取引履歴管理部１３０から付与される識別フラグであり、初期値として、未転送、未印字を表す「未」という文字が設定されている。他の項目に関しては、図１の取引履歴３３０において説明した項目と同様の内容を表している。
【００３８】
図３に戻り説明を続ける。ＡＴＭ１００は、取引履歴の印字処理を開始し（ステップＳ１２）、印字処理と並行して、取得した取引履歴および他の取引処理を入力させるための取引選択画面を表示する（ステップＳ１３）。図１の操作部３００を表示する処理に相当する処理である。
【００３９】
次に、ＡＴＭ１００は、取引選択ボタンが押下されたか否かを判断する（ステップＳ１４）。ＡＴＭ１００は、取引選択ボタン３４２〜３４５が押下された場合（ステップＳ１４：ＹＥＳ）には、選択された取引処理を実行し（ステップＳ１７）、取引選択ボタンが押下されていない場合（ステップＳ１４：ＮＯ）には、取引終了ボタン３４６が押下されたか否かを判断する（ステップＳ１５）。
【００４０】
ＡＴＭ１００は、取引終了ボタン３４６が押下された場合（ステップＳ１５：ＹＥＳ）には、取引終了処理を実行し、全ての処理を終了する（ステップＳ１６）。取引終了ボタン３４６が押下されない場合（ステップＳ１５：ＮＯ）には、
ステップＳ１４へ戻り、処理を繰り返す。
【００４１】
Ａ３−１．印字処理：
図５は、本実施例における印字処理を説明するフローチャートである。図３のステップＳ１２に相当する処理である。
【００４２】
取引履歴管理部１３０は、取引履歴格納部１３１に格納されている印字対象取引履歴の１行分のデータ、すなわち、１取引履歴のデータを、通帳取扱機構制御部１２４に転送し（ステップＳ２０）、転送した取引履歴の転送フラグについて、転送済みであることを表す「済」に更新する（ステップＳ２１）。
【００４３】
次に、通帳取扱機構制御部１２４は、通帳取扱機構１０５を制御して、転送された取引履歴の通帳１０への印字を開始し（ステップＳ２２）、かかる取引履歴の印字フラグについて、印字中であることを表す「中」に更新する（ステップＳ２３）。表示制御部１２８は、取引履歴格納部１３１を参照し、印字フラグに基づき、操作部３００に表示されている取引履歴の背景を、印字中であることを表す色に変えて表示する（ステップＳ２４）。
【００４４】
取引履歴管理部１３０は、転送した取引履歴の印字の終了を検出すると（ステップＳ２５）、印字フラグについて、印字済みであることを表す「済」に更新する（ステップＳ２６）。表示制御部１２８は、取引履歴格納部１３１を参照し、印字フラグに基づき、操作部３００に表示されている取引履歴の背景の色を、印字中を表す色から変更済みを表す色に変更して表示する（ステップＳ２３）。
【００４５】
取引履歴管理部１３０は、全ての取引履歴の印字フラグが、印字済みであることを表す「済」であるか否かを判断する（ステップＳ２８）。取引履歴管理部１３０は、印字フラグが全て「済」である場合（ステップＳ２８：ＹＥＳ）には、通帳を排出せずに印字処理を終了し、印字フラグが全て「済」でない場合（ステップＳ２８：ＮＯ）には、ステップＳ２０から処理を繰り返す。
【００４６】
図６は、本実施例における印字処理継続中の取引履歴格納部１３１の内容を例示する説明図である。図５のステップＳ２１、Ｓ２３、Ｓ２６において転送フラグ、印字フラグが更新された状態を表している。取引履歴管理部１３０は、日付が早い取引履歴、すなわち、履歴番号の昇順に、通帳取扱機構制御部１２４に対して取引履歴を転送する。
【００４７】
図示するように、履歴番号「００１」および「００２」の転送フラグは、「済」であり、これらの取引履歴は、通帳取扱機構制御部１２４に転送済みであることを示している。履歴番号「００１」の印字フラグは、「済」であり、この取引履歴は、通帳１０に印字済みであることを示している。履歴番号「００２」の印字フラグは、「中」であり、この取引履歴は、印字中であることを示している。また、履歴番号「００３」は、転送フラグ、印字フラグともに「未」であり、通帳取扱機構制御部１２４への転送が行われておらず、印字が開始されていないことを表している。
【００４８】
図７は、本実施例における操作部３００を例示する説明図である。本図は、印字処理中に、取引選択ボタン３４４が押下され、出金取引処理が行われている状態を示している。取引履歴３３０は、図６の取引履歴格納部１３１の内容が反映され表示されている。取引履歴３３０の最左に示す取引履歴番号は、取引履歴格納部１３１の履歴番号と対応しており、取引履歴格納部１３１の履歴番号が「００１」である取引履歴は、取引履歴３３０において、取引履歴番号「１」として表示されている。図中、取引履歴３３０にハッチングを付した部分は、背景が異なる色で表示されていることを表している。
【００４９】
例えば、取引履歴番号「１」の取引履歴は、図に示すように、印字済みであることを示す背景色（ハッチング）で表示されている。表示制御部１２８が、図５のステップＳ２７に示す処理により、取引履歴格納部１３１の印字フラグに基づいて、背景色を表示する。具体的には、表示制御部１２８は、取引履歴格納部１３１を参照し、履歴番号「００１」の取引履歴の印字フラグが「済」であることを検出し、操作部３００に表示されている、履歴番号「００１」に対応する取引履歴番号「１」の背景色を変更する。
【００５０】
また、例えば、取引履歴番号「２」の取引履歴は、印字中であることを示す背景色（ハッチング）で表示されている。表示制御部１２８が、図５のステップＳ２４に示す処理により、取引履歴格納部１３１の印字フラグに基づいて、背景色を表示する。具体的には、表示制御部１２８は、取引履歴格納部１３１を参照し、履歴番号「００２」の取引履歴の印字フラグが「中」であることを検出し、操作部３００に表示されている、履歴番号「００２」に対応する取引履歴番号「２」の背景色を変更する。
【００５１】
Ａ３−２．取引処理：
図８は、本実施例における取引処理を説明するフローチャートである。本実施例では、図１の操作部３００において、取引選択ボタン３４４が押下され、ＡＴＭ１００は、支払い取引処理を実行するものとする。図３のステップＳ１７に相当する処理である。
【００５２】
ＡＴＭ１００は、取引選択ボタン３４４が押下されたことを検出すると、出金取引処理を実行する（ステップＳ３０）。具体的には、操作部３００に、出金取引処理を行わせるための取引画面を表示し、ユーザに暗証番号の入力を促す（ステップＳ３１）。次に、ＡＴＭ１００は、利用者からの暗証番号の入力を受け付け（ステップＳ３２）、かかる暗証番号を使用してホストコンピュータ２００にユーザ認証の交信を行う（ステップＳ３３）。ユーザの認証に成功すると、ＡＴＭ１００は、ユーザから引出し金額の入力を受け付け（ステップＳ３４）、ホストコンピュータ２００にその金額の引き出しの確認を交信する（ステップＳ３６）。ＡＴＭ１００は、ホストコンピュータ２００から引き出し可能である旨の通知を受け取ると、現金取扱機構１１０から現金を繰り出し、出金を行う（ステップＳ３６）。図７に、取引画面を併せて示した。
【００５３】
図７に示すように、取引操作部３４０は、取引内容表示部３４１と、テンキー入力部３５０と、確認ボタン３５１と、キャンセルボタン３５２とから構成される。取引内容表示部３４１は、取引処理に関する情報を表示する領域であり、テンキー入力部３５０により、出金金額として「３６，０００」円と入力された状態を表している。このように、利用者は、テンキー入力部３５０によって出金を所望する金額を入力し、確認ボタン３５１もしくはキャンセルボタン３５２を押下する。ＡＴＭ１００は、確認ボタン３５１が押下されたことを検出すると現金取扱機構１１０から現金を繰り出し、出金を行い、キャンセルボタン３５２が押下されたことを検出すると印字処理を取り消す。
【００５４】
図８に戻り説明を続ける。ＡＴＭ１００は、取引履歴格納部１３１のスタックの末尾に、本取引履歴を追加し（ステップＳ３７）、追加した取引履歴を操作部３００の取引履歴３３０に追加して表示する。（ステップＳ３８）。
【００５５】
図６の取引履歴格納部１３１に、ステップＳ３７の処理後の状態を併せて例示した。取引処理部１２５は、処理を終えた取引内容を取引履歴管理部１３０に受け渡す。取引履歴管理部１３０は、受け取った取引内容に、印字フラグ、転送フラグを付与して、取引履歴格納部１３１に格納する。図示するように、取引履歴格納部１３１には、スタックの末尾に履歴番号「００４」として、図８のステップＳ３０において行った取引処理の取引履歴４００が追加格納されている。
【００５６】
Ａ３−３．取引終了処理：
図９は、本実施例における取引終了処理を説明するフローチャートである。図３のステップＳ１６に相当する処理である。
【００５７】
ＡＴＭ１００は、取引終了ボタンが押下されると、印字フラグがすべて印字済みであるか否かを判断する（ステップＳ４０）。ＡＴＭ１００は、印字フラグが全て印字済みである場合（ステップＳ４０：ＹＥＳ）には、通帳１０を排出し一連の取引処理を終了する（ステップＳ４５）。
【００５８】
ＡＴＭ１００は、印字フラグが印字済みでない取引履歴が存在する場合（ステップＳ４０：ＮＯ）には、操作部３００に印字を中止させるための印字キャンセルボタンを表示する（ステップＳ４１）。図１０に、印字キャンセルボタンを表示した操作部３００を例示した。
【００５９】
図１０は、本実施例における操作部３００の画面例である。図９のステップＳ４１における処理で表示される画面である。
【００６０】
取引履歴表示部３２０に表示された取引履歴３３０には、図８において説明した出金取引処理の取引履歴が、取引履歴番号「４」として反映されている。図示するように、取引履歴番号「１」、「２」は、通帳１０へ印字済みであるが、取引履歴番号「３」は印字中であり、取引履歴番号「４」は、未印字である。
【００６１】
取引操作部３４０は、取引内容表示部３４１と、印字キャンセルボタン３６０とから構成されている。取引内容表示部３４１には、利用者への案内が表示されている。ＡＴＭ１００は、印字キャンセルボタン３６０が押下されたことを検出すると、通帳取扱機構１０５を制御して印字処理を中止する。
【００６２】
図９に戻り説明を続ける。ＡＴＭ１００は、印字キャンセルボタンが押下されたか否かを監視し（ステップＳ４２）、押下された場合（ステップＳ４２：ＹＥＳ）には、現在印字中の取引履歴の印字終了後に印字処理を中止する（ステップＳ４３）。次に、ＡＴＭ１００は、印字フラグに基づき、印字の進捗情報をホストコンピュータ２００に送信し（ステップＳ４４）、通帳を排出して一連の取引処理を終了する（ステップＳ４５）。キャンセルボタンが押下されていない場合（ステップＳ４２：ＮＯ）には、ＡＴＭ１００は、ステップＳ４０から処理を繰り返す。
【００６３】
以上説明した第１実施例のＡＴＭ１００によれば、通帳を用いて複数の取引処理を実行する場合にも、逐一、通帳が排出することなく、全ての取引処理を円滑に行うことができる。また、操作部３００に未印字の取引履歴とともに取引指示を入力する取引処理画面を表示できるため、取引履歴を確認しながら別の取引を連続して実行することができる。従って、全体的な取引処理時間を削減することができ、利用者の利便性を向上することができる。
【００６４】
また、本実施例によれば、ＡＴＭ１００は、複数の取引処理を連続して行った場合にも、かかる取引の取引履歴を、操作部３００に追加して表示するとともに、通帳を排出することなく印字することができる。また、ＡＴＭ１００は、取引履歴に印字フラグを付与して印字進捗状況を操作部３００に表示することにより、印字処理の進捗状況を容易に把握でき、印字処理を途中で中止することができる。従って、複数の取引処理の終了後に、利用者の任意のタイミングで一連の取引処理を終了させることができる。
【００６５】
Ｂ．第２実施例：
上述した第１実施例では、ホストコンピュータ２００から取得した取引履歴をそのまま操作部３００に表示することとした。第２実施例では、通帳の印字対象頁と印字される取引履歴とを関連付けて、取引履歴を、ページ単位で操作部３００に表示することとした。本実施例におけるシステム構成は、第１実施例と同様である。
【００６６】
Ｂ１．通帳のページ構成：
図１１は、第２実施例における通帳のページ構成を例示する説明図である。図は、通帳１０を開いた状態を表しており、ページ１１は、印字が開始されるページを示している。以降、ページ１１を、印字開始ページ１１と呼ぶこととする。ページ１４は、印字開始ページ１１の次のページを示している。印字開始ページ１１は、既に印字がされている印字済領域１２と、印字を行うべき印字対象領域１３とから構成されている。印字済領域１２は、ハッチングを付した領域である。本実施例では、印字対象領域１３は、２行分の取引履歴、すなわち、２取引履歴を印字することができる領域が存在する。
【００６７】
ＡＴＭ１００は、通帳１０が挿入されると、未印字の取引履歴の履歴数と、印字対象領域１３の印字可能な行数とに基づき、取引履歴と、取引履歴を印字すべきページとを関連付けて取引履歴格納部１３１に格納する。以下に、かかる関連付けに関して説明する。
【００６８】
Ｂ２．印字ページ関連付け処理：
図１２は、本実施例における印字ページ関連付け処理を説明するフローチャートである。第１実施例の図３において、ステップＳ１０とステップＳ１１との間に、本処理を挿入することで適用することができる。
【００６９】
ＡＴＭ１００は、ステップＳ１０で取得した取引履歴の履歴数、すなわち、印字行数を取得する（ステップＳ５０）とともに、通帳１０の印字開始ページ１１の印字可能行数を取得する（ステップＳ５１）。印字可能行数は、通帳取扱機構１０５が、ＯＣＲを利用して取得する。通帳１０に磁気データとして、印字可能行数を記憶しておき、これを参照して取得する等としてもよい。次に、ＡＴＭ１００は、取引履歴の印字が、複数頁に亘るか否かを判断する（ステップＳ５２）。印字が複数頁に亘る場合（ステップＳ５２：ＹＥＳ）には、ＡＴＭ１００は、取引履歴と印字対象頁との関連付けを行う（ステップＳ５３）。具体的には、ＡＴＭ１００は、各取引履歴に、印字対象頁のページ番号を付与する。
【００７０】
印字が複数頁に亘らない場合（ステップＳ５２：ＮＯ）には、ＡＴＭ１００は、処理を終了する。ＡＴＭ１００は、本処理を終了すると、ステップＳ１１のフラグ付与処理以降の処理を続行する。
【００７１】
図１３は、本実施例における取引履歴格納部１３１の内容を例示する説明図である。本図は、図１２の関連付け処理およびステップＳ１１のフラグ付与処理を終了し、取引履歴格納部１３１に取引履歴が格納された状態を例示している。
【００７２】
取引履歴格納部１３１は、「履歴番号」と、「日付」と、「適用」と、「お支払」と、「預入れ」と、「残高」と、「印字フラグ」と、「転送フラグ」、「印字頁」との９項目から構成されている。「印字頁」は、図１２のステップＳ５３における処理で付与された情報であり、取引履歴を印字すべき印字対象頁のページ番号が設定されている。本実施例では、印字対象領域１３は２取引履歴分の印字可能領域を有するため、履歴番号「００１」と「００２」の取引履歴の「印字頁」には印字対象頁の１ページ目に印字すべきことを示す「１」が設定されており、履歴番号「００３」〜「００５」の「印字頁」には、印字対象頁の２ページ目に印字すべきことを示す「２」が設定されている。取引履歴格納部１３１において、「印字頁」以外の項目は、第１実施例と同様である。
【００７３】
Ｂ３．操作パネル：
図１４は、本実施例における操作部３００の画面例を示す説明図である。図１４（ａ）は、印字対象頁の１ページ目に印字すべき取引履歴３３０を例示する説明図である。取引操作部３４０は第１実施例と同様であるため説明を省略する。
【００７４】
取引履歴表示部３２０は、取引履歴３３０と、前ページボタン３３１と、次ページボタン３３２とから構成される。取引履歴３３０は、通帳の印字対象頁の１ページ目に印字すべき取引履歴を表しており、図１３の取引履歴格納部１３１において、「印字頁」が「１」である取引履歴が表示される。印字すべき取引履歴が複数頁に亘っているためページ単位で取引履歴３３０の表示を切り換えることができるように、前ページボタン３３１と次ページボタン３３２とが表示されている。図１４（ａ）は、印字対象頁の１ページ目に印字すべき取引履歴に対応する取引履歴が表示されているため、前ページボタン３３１を使用不可としてもよい。次ページボタン３３２を押下すると、操作部３００は、図１４（ｂ）に遷移する。
【００７５】
図１４（ｂ）は、印字対象頁の２ページ目に印字すべき取引履歴３３０を例示する説明図である。前ページボタン３３１を押下すると、操作部３００は、図１４（ａ）に遷移する。
【００７６】
第２実施例のＡＴＭ１００によれば、通帳に印字されるべき取引履歴の情報を、ページ単位で表示し、ボタンによってページ間を移動することができるため、利用者は、通帳に印字される内容を直感的に確認することができる。
【００７７】
本実施例では、取引履歴表示部３２０に表示される取引履歴の件数が少ないため、取引履歴を全て表示することができたが、取引履歴の件数が多く、取引履歴表示部３２０に全ての取引履歴を表示することができない場合には、例えば、スクロールボタン３３３を設けることとしてもよい。スクロールボタン３３３は、上スクロールボタン３３３ａと、下スクロールボタン３３３ｂとから構成されており、下スクロールボタン３３３ｂが押下されると、取引履歴が下にスクロールし、表示しきれなかった取引履歴が表示されることとしてもよい。上スクロールボタン３３３ａも同様に、取引履歴が上にスクロールし、表示されていなかった取引履歴が表示されることとしてもよい。また、操作部３００に、ページ番号を併せて表示することとしてもよい。
【００７８】
Ｃ．変形例：
以上、本発明の種々の実施例について説明したが、本発明はこれらの実施例に限定されず、その趣旨を逸脱しない範囲で種々の構成をとることができることは言うまでもない。例えば、通帳に取引履歴を印字する「通帳記帳取引処理」を選択場合に、かかる処理と他の取引処理とを一連の取引処理として実行できるように本発明が適用されることとしてもよい。
【００７９】
Ｃ１．変形例１：
上述した第１実施例では、操作部３００に表示する取引履歴は、通帳に未印字の取引履歴としたが、これに限られない。通帳に印字済みの取引履歴も操作部に表示することとしてもよい。かかる場合には、例えば、ホストコンピュータ２００に保存されている印字済みの取引履歴を、例えば、過去１ヶ月などの条件を指定し、併せて取得して表示することとしてもよい。また、例えば、通帳に印字されている取引履歴をＯＣＲ（Optical Character Reader）などによって読み取り、表示することとしてもよい。こうすれば、過去の取引履歴も一体として表示することができるため、利用者は利便性が向上する。
【００８０】
Ｃ２．変形例２：
実施例では、ＡＴＭ１００は、通帳を排出せずに、複数の取引を行うこととしたが、例えば、操作部３００に「通帳記帳＋引き出し」ボタンをもうけ、かかるボタンを押下することにより、複数の取引をあたかも１取引であるように処理することとしてもよい。
【００８１】
Ｃ３．変形例３：
上述した実施例では、ＡＴＭ１００は、操作部３００の上方に取引履歴表示部３２０を、下方に取引操作部３４０を配置することとしたがこれに限られない。取引履歴と取引選択画面が一度に確認できる態様であればよい。
【図面の簡単な説明】
【００８２】
【図１】第１実施例におけるＡＴＭの概略構成を示す説明図である。
【図２】第１実施例における制御ユニットの機能ブロックを例示する説明図である。
【図３】第１実施例における連続取引処理を説明するフローチャートである。
【図４】第１実施例における取引履歴格納部の内容を例示する説明図である。
【図５】第１実施例における印字処理を説明するフローチャートである。
【図６】第１実施例における取引履歴格納部の内容を例示する説明図である。
【図７】第１実施例における操作部の画面例である。
【図８】第１実施例における取引処理を説明するフローチャートである。
【図９】第１実施例における取引終了処理を説明するフローチャートである。
【図１０】第１実施例における操作部の画面例である。
【図１１】第２実施例における通帳のページ構成を例示する説明図である。
【図１２】第２実施例における印字頁関連付け処理を説明するフローチャートである。
【図１３】第２実施例における取引履歴格納部の内容を例示する説明図である。
【図１４】第２実施例における操作部の画面例である。
【符号の説明】
【００８３】
１０...通帳
１１...ページ
１１...印字開始ページ
１２...印字済領域
１３...印字対象領域
１４...ページ
１００...ＡＴＭ
１０５...通帳取扱機構
１０６...カード取扱機構
１０８...現金入出金口
１１０...現金取扱機構
１２０...制御ユニット
１２１...主制御部
１２２...通信部
１２３...カード・明細表取扱機構制御部
１２４...通帳取扱機構制御部
１２５...取引処理部
１２８...表示制御部
１２９...入力受付部
１３０...取引履歴管理部
１３１...取引履歴格納部
２００...ホストコンピュータ
３００...操作部
３１０...案内表示部
３２０...取引履歴表示部
３３０...取引履歴
３４０...取引操作部
３４１...取引内容表示部
３４２〜３４５...取引選択ボタン
３４６...取引終了ボタン
３５０...テンキー入力部
３５１...確認ボタン
３５２...キャンセルボタン
３６０...印字キャンセルボタン
３３１...前ページボタン
３３２...次ページボタン
３３３...スクロールボタン
３３３ａ...上スクロールボタン
３３３ｂ...下スクロールボタン
【図１】
2005352743.tif 000003
【図２】
2005352743.tif 000004
【図３】
2005352743.tif 000005
【図４】
2005352743.tif 000006
【図５】
2005352743.tif 000007
【図６】
2005352743.tif 000008
【図７】
2005352743.tif 000009
【図８】
2005352743.tif 000010
【図９】
2005352743.tif 000011
【図１０】
2005352743.tif 000012
【図１１】
2005352743.tif 000013
【図１２】
2005352743.tif 000014
【図１３】
2005352743.tif 000015
【図１４】
2005352743.tif 000016